(57)【特許請求の範囲】
【請求項１】
本体の前面の開口部を開閉する扉の蝶番構造であって、前記本体に設けられた本体側ベースに、第１，第２回動板を隣接させてそれぞれ回転軸により回動自在に配設し、該両回動板に、第１アーム部材の基端部の２箇所をそれぞれ各１個の本体側第１アーム軸回りに回動自在に取付け、該第１アーム部材の先端部を扉側第１アーム軸により、扉側に設けられた扉側ベースに回動自在に取付け、前記第１アーム部材の上側に配設された第２アーム部材の基端部の２箇所を前記両回動板に、それぞれ各１個の本体側第２アーム軸回りに回動自在に取付け、該第２アーム部材の先端部を扉側第２アーム軸により、前記扉側ベースに回動自在に取付けたことを特徴とする扉の蝶番構造。
【発明の詳細な説明】
【０００１】
【産業上の利用分野】
本発明は書庫、間仕切等に用いられる扉の蝶番構造に関し、更に詳しくは、扉の開度を大きくできるとともに、扉をスムーズに開閉動作させることができる扉の蝶番構造に関する。
【０００２】
【従来の技術】
従来より、書庫、間仕切等の本体前面には該本体開口部を開閉する扉が蝶番を介して枢着されている。この種の書庫、間仕切等においては外観の美しさが要求されるので、一般に、扉は本体の開口部だけでなく本体前面の外縁部近傍まで覆う大きさに形成される。特に壁面書庫等のように複数個の書庫が並設される場合、閉扉時に隣接する扉の間に大きな隙間を作らないように扉のサイズが定められる。したがって、このような扉を本体前面或いは隣接する書庫の扉と干渉しないように、また、本体内部の引出し或いは収納物等の出し入れに支障が生じないように、スムーズに大きく開動させることができる蝶番構造が必要になる。そして大型の重い扉であっても支障なく開閉動可能に支持できる蝶番構造が必要になる。
【０００３】
上記の要求を満たすためには、扉を開方向に回動させるときに先ず扉全体を本体の前方に移動させることができる蝶番構造が必要である。そこで幾つかの蝶番構造が提案されているが、代表的なものについて説明すると、実開昭６３−８９０７８号公報に開示された扉の蝶番構造は、本体に取り付けられる取付板の両端とヒンジアームの両端とを各々連結板を介して連結して四節リンク構造を構成し、このヒンジアームの延長端に更に枢軸を介して扉を回動可能に支持したものとなっている。この蝶番構造によれば、四節リンクにより、先ずヒンジアームを本体の前方に移動させることができ、さらに扉をヒンジアームに対し回動させることで扉を大きく開くことができる。一方、実開平１−１３８０８０号公報に開示されている扉の蝶番構造は、本体に取り付けられる取付板に２つのピンを介して２つの連結板の一端部を各々連結し、さらに両連結板の他端部に梃子板の両端部を各々ピンを介して連結することにより、四節リンクを構成し、上記梃子板と連結板とを連結する２つのピンのうちの一方に扉を枢支したものとなっている。この蝶番構造においても、扉を開けるときに四節リンクの動作により扉全体を本体の前方に移動させることができる。
【０００４】
【発明が解決しようとする課題】
しかしながら、上述した２つの従来例においては、扉の開度を大きくとるために、扉は四節リンクのうちの１つに対し枢支されて四節リンクの動きとは独立して回動する構成となっているため、本体に対する扉の開閉動作が一定のものにならず、操作し難いという問題があった。また、扉は四節リンクのうちの１つに対し１つの枢支ピンを介して枢支されているにすぎないため、大型で重い扉の場合、十分な支持強度を確保することが難しく、使用している間に扉が動きにくくなったり、ガタが生じやすいという問題があった。
【０００５】
したがって、本発明の目的は、扉の大きな開度を確保しつつ、扉をスムーズに開閉動作させることができる扉の蝶番構造を提供することにある。
【０００６】
【課題を解決するための手段】
上記課題を解決するために、本発明にあっては、本体の前面の開口部を開閉する扉の蝶番構造であって、前記本体に設けられた本体側ベースに、第１，第２回動板を隣接させてそれぞれ回転軸により回動自在に配設し、該両回動板に、第１アーム部材の基端部の２箇所をそれぞれ各１個の本体側第１アーム軸回りに回動自在に取付け、該第１アーム部材の先端部を扉側第１アーム軸により、扉側に設けられた扉側ベースに回動自在に取付け、前記第１アーム部材の上側に配設された第２アーム部材の基端部の２箇所を前記両回動板に、それぞれ各１個の本体側第２アーム軸回りに回動自在に取付け、該第２アーム部材の先端部を扉側第２アーム軸により、前記扉側ベースに回動自在に取付けたことを特徴としている。
【０００７】
【作用】
上記構成を有する扉の蝶番構造によれば、扉の開閉動作により、第１，第２回動板が回動し、この回動により第１，第２アーム部材が回動を伴って平行移動する。これにより、これら各アーム部材の先端部に支持された扉は、本体の前面や隣接する書庫等の扉に干渉することなく扉を開動させることができる。しかも、扉は一義的な開閉動作をすることとなるので、扉の開閉操作がしやすくなり、扉をスムーズに開閉動作させることができる。さらに、扉は第１，第２アーム部材に支持されているので、本体に対する支持強度が高くなり、扉のスムーズな開閉動作を長期間維持することができる。さらにまた、このような機構によれば、扉を１８０°開成した状態では、扉の側面部が本体開口部の内側に突出することを防止でき、書物等の出入れの邪魔にならない。
【実施例】
以下、図面を参照して本発明の実施例につき説明する。
【０００８】
図１乃至図１２は本発明の一実施例を示したもので、図１は書庫１の全体斜視図である。図１を参照すると、書庫１は前面が開口した書庫本体２と、この本体２の開口部２ａを開閉するための左右一対の扉３，３とを備えている。このような書庫１は、扉３，３を開けて本体内の引出し或いは書類等の収納物を出し入れすることができる。
【０００９】
これら扉３，３は、図１中符号イ，ロ，ハ，ニの四隅に配設された蝶番１０…により書庫本体２に開閉自在に支持されている。
【００１０】
以下では、符号イの位置に配設された蝶番１０を参照して説明する。
【００１１】
まず、この隅部の書庫本体２は、図２，３，９等に示すように、蝶番１０挿入用の挿入開口２ｂが、天井部２ｃの前面壁２ｄ（縦壁）に形成され、内部には、蝶番１０が取付けられる本体側取付け板４が水平方向に沿って配設されている。
【００１２】
また、扉３の裏面部３ａには、図２，３，１０，１１等に示すように、書庫本体２側の挿入開口２ｂと対応した位置に、同じく蝶番１０挿入用の挿入開口３ｂが形成され、内部には、蝶番１０が取り付けられる扉側取付け板５が固定されている。この扉側取付け板５は、鉛直面部５ａが扉３の側面部３ｃの内面に固定され、水平面部５ｂが扉３の上面部３ｄの下面に固定されている。また、この扉側取付け板５には、蝶番１０固定用のネジ孔５ｃが形成されている。
【００１３】
一方、蝶番１０は、まず、本体側取付け板４にネジ１３止めされる本体側ベース１１と、扉側取付け板５のネジ孔５ｃにネジ１４止めされる扉側ベース１２とを有している。
【００１４】
この本体側ベース１１上には、略三角形状の第１回動板１５と第２回動板１６とが略水平面内で幅方向に沿って配置され、それぞれ回転軸１７にて本体側ベース１１に回動自在に取り付けられている。これら回動板１５，１６は、図５，８等に示すように段差形状に形成され、低い方の面部が回動軸１７により、本体側ベース１１に取り付けられている。そして、高い方の面部には、第１，第２アーム部材１９，２０が取り付けられている。
【００１５】
この第１アーム部材１９と第２アーム部材２０とは、第２アーム部材２０の方が上側に重なるように配設され、この第１アーム１９の基端部１９ａ側が、両回動板１５，１６に本体側第１アーム軸１９ｂ，１９ｂを介して回動自在に取り付けられ、この第１アーム１９の先端部１９ｃが扉側第１アーム軸１９ｄにより、扉側取付け板５に回動自在に取り付けられている。
【００１６】
また、第２アーム部材２０も同様に、基端部２０ａ側が、両回動板１５，１６に本体側第２アーム軸２０ｂ，２０ｂを介して回動自在に取り付けられ、先端部２０ｃが扉側第２アーム軸２０ｄにより、扉側取付け板５に回動自在に取り付けられている。これら、第２アーム軸２０ｂ，２０ｄの周囲には、図６，７に示すようにカラー２２が設けられている。
なお、部位ロ，ハ，ニについても上述と略同様の構造を呈しているので、説明を省略する。
【００１７】
次に、作用について説明する。
【００１８】
まず、図２に示す扉３の閉成状態では、扉３の側面部３ｃが書庫本体２の側面部２ｆの外面２ｇより隣接する書庫側に突出しないように設定されている。この状態から、扉３を開成すべく、扉３を矢印方向に回動させると、第１，第２回動板１５，１６が、回転軸１７を中心に、図１２の（ａ）中二点鎖線に示す位置まで回動する。この両回動板１５，１６の回動により、本体側第１，第２アーム軸１９ｂ，２０ｂが、それぞれ回転軸１７，１７を中心に回動運動をする。これにより、第１，第２アーム部材１９，２０はそれぞれ回動運動をしながら平行移動し、扉側第１，第２アーム軸１９ｄ，２０ｄの位置も変化して、扉３は斜めの状態となる。そして、さらに扉３を回動させると、図１２の（ａ）中実線に示すように、扉３が閉成状態から９０°回動し、次に、図１２の（ｂ）中二点鎖線，実線に示すように回動する。図１２の（ｂ）中実線に示す状態では、扉３は書庫本体２の前面に当たることなく閉成状態から１８０°回動すると共に、扉３が１８０度開いた状態では扉３は閉じた状態と比較して本体２から扉３一枚の厚さ分だけ前方に移動する。このため書庫１が横方向に並設されている場合に、ある書庫１の扉３を開放する場合に隣の書庫の扉３´が邪魔になって開放できないということが生じない。
【００１９】
また、上記機構により扉３を開成した場合には、扉３の側面部３ｃが、書庫本体２の側面部２ｆの内面２ｈより内側（開口部２ａ内側）に突出していないため、書物等を出入れするのに、扉３の側面部３ｃが邪魔にならず、使い勝手が良好である。これは、図２の扉３閉成状態と図１２（ｂ）の扉３開成状態とにおいて、扉側面部３ｃ近傍にある扉側第２アーム軸２０ｄの位置を比較すると、この位置は書庫１の幅方向には移動しておらず、単に書庫１の前方側に移動しているにすぎないため、扉側面部３ｃの位置も幅方向に大きく動くことがない。その結果、図２に示すように、側面部３ｃから扉側第２アーム軸２０ｄまでの距離Ｌを、書庫本体側面部２ｆの幅ｂの半分より短く設定し、しかも、その扉側第２アーム軸２０ｄの位置を、その書庫本体側面部２ｆの幅方向の中央部に設定すれば、扉３閉成状態では、書庫本体側面部２ｆの外面２ｇより外側に扉側面部３ｃが突出することが無いと同時に、扉開成状態では、書庫本体側面部２ｆの内面２ｈより内側に扉側面部３ｃが突出することが無い。
【００２０】
さらに、各アーム部材１９，２０が限定された動作を行うことから、各アーム部材１９，２０により、各蝶番１０毎に２点支持されている扉３も常に一義的な動きをすることとなるので、扉３の開閉操作がしやすくなり、扉３をスムーズに開閉動作させることができる。
【００２１】
さらにまた、扉３は各蝶番１０毎に第１，第２アーム部材１９，２０にて支持されているので、書庫本体２に対する支持強度が高くなり、扉３のスムーズな開閉動作を長期間維持することができる。
【００２２】
以上一実施例につき説明したが、本発明は上記実施例の態様のみに限定されるものではなく、例えば、各回動板１５，１６や各アーム部材１９，２０等の形状は上記実施例の形状に限らず他の形状でも良く、また、上記実施例の書庫１は左右２つの扉３が左右に開く形式のものであるが、左方、右方または上方のみに開く単一の扉を備えたものであってもよい。また、本発明は書庫に限らず、扉を有するものであれば、例えば間仕切り等にも同様に適用することができる。
【００２３】
【発明の効果】
以上の説明から明かなように、本発明によれば、扉の開閉動作により、第１，第２回動板が回動し、この回動により第１，第２アーム部材が回動を伴って平行移動するため、これら各アーム部材の先端部に支持された扉は、本体の前面や隣接する書庫等の扉に干渉することなく扉を開動させることができる。しかも、扉は一義的な開閉動作をすることとなるので、扉の開閉操作がしやすくなり、扉をスムーズに開閉動作させることができる。さらに、扉は第１，第２アーム部材に支持されているので、本体に対する支持強度が高くなり、扉のスムーズな開閉動作を長期間維持することができる。さらにまた、扉を１８０°開成した状態では、扉の側面部が、本体開口部の内側に突出することを防止でき、書物等の出入れの邪魔になることがなく、使い勝手が良好な扉の蝶番構造を提供することができる。
【図面の簡単な説明】
【図１】本発明の一実施例に係る蝶番を使用した書庫の全体斜視図である。
【図２】図１に示す書庫のＡ−Ａ線に沿う断面図である。
【図３】図１に示す書庫のＢ−Ｂ線に沿う断面図である。
【図４】扉の閉成状態における蝶番の斜視図である。
【図５】扉の開成状態における図４に相当する斜視図である。
【図６】図４のＣ−Ｃ線に沿う断面図である。
【図７】図４のＤ−Ｄ線に沿う位置の、本体側ベースを示さない断面図である。
【図８】本体側ベースの各回動板を取り付けた状態の図である。
【図９】書庫本体の上部の右角隅部における正面図である。
【図１０】扉の上部の右角隅部における水平方向に沿う断面図である。
【図１１】図１０のＥ−Ｅ線に沿う断面図である。
【図１２】扉の開閉動作を示す図２に相当する断面図である。
【符号の説明】
１            書庫
２            書庫本体（本体）
３            扉
１０            蝶番
１１            本体側ベース
１２            扉側ベース
１５            第１回動板
１６            第２回動板
１７            回転軸
１９            第１アーム部材
１９ａ          基端部
１９ｂ          本体側第１アーム軸
１９ｃ          先端部
１９ｄ          扉側第１アーム軸
２０            第２アーム軸
２０ａ          基端部
２０ｂ          本体側第２アーム軸
２０ｃ          先端部
２０ｄ          扉側第２アーム軸
【図１】
0003682886.tif 000002
【図２】
0003682886.tif 000003
【図３】
0003682886.tif 000004
【図４】
0003682886.tif 000005
【図５】
0003682886.tif 000006
【図６】
0003682886.tif 000007
【図７】
0003682886.tif 000008
【図８】
0003682886.tif 000009
【図９】
0003682886.tif 000010
【図１０】
0003682886.tif 000011
【図１１】
0003682886.tif 000012
【図１２】
0003682886.tif 000013